(57)【要約】 【課題】  予約販売時点で会計処理を実行できるようにする。【解決手段】  商品の売上げを入力するタッチパネル式の端末器を備えている。端末器は、商品の売上げを入力する際の基本画面１に将来の商品の購入を約束する予約を指示する予約ボタン５が表示されている。基本画面１の一部は、商品の売上げの入力の後の予約ボタン５の指示により商品の受渡日時を特定するとともに商品の本来の会計処理の予備的な会計処理である内金処理を指示する内金処理ボタンが表示された予約画面に切替えられる。【選択図】        図１
2007025842.tif 000002
【特許請求の範囲】
【請求項１】
商品の売上げを入力するタッチパネル式の端末器を備えたＰＯＳシステムにおいて、端末器は商品の売上げを入力する際の基本画面に将来の商品の購入を約束する予約を指示する予約ボタンが表示され、基本画面の一部は商品の売上げの入力の後の予約ボタンの指示により商品の受渡日時を特定するとともに商品の本来の会計処理の予備的な会計処理である内金処理を指示する内金処理ボタンが表示された予約画面に切替えられることを特徴とするＰＯＳシステム。
【請求項２】
請求項１のＰＯＳシステムにおいて、内金処理の情報を予約番号を付して呼出し可能に記憶するサーバを備えていることを特徴とするＰＯＳシステム。
【請求項３】
請求項１または２のＰＯＳシステムにおいて、内金処理の情報を予約番号を付した伝票として発行するプリンタを備えたことを特徴とするＰＯＳシステム。
【請求項４】
請求項２または３のＰＯＳシステムにおいて、端末器は予約番号の入力によって内金処理の情報が表示されることを特徴とするＰＯＳシステム。
【請求項５】
請求項４のＰＯＳシステムにおいて、端末器は予約番号の入力によって表示された予約内容画面で商品の本来の会計処理を指示することができることを特徴とするＰＯＳシステム。
【発明の詳細な説明】
【技術分野】
【０００１】
本発明は、比較的小規模の小売店舗での設置に好適なＰＯＳ（Point Of Sales）システムに係る技術分野に属する。
【背景技術】
【０００２】
最近のＰＯＳシステムは、ＰＣ−ＰＯＳ等と称せられるように汎用のＯＳを採用してパソコン化される傾向にある。パソコン化されたＰＯＳシステムでは、商品の売上げを入力する端末器が情報の入力，表示を兼用する液晶等によるタッチパネル式に構成されるものが多くなっている。
【０００３】
小規模の小売店舗としては、例えば、ケーキ（洋菓子）の販売店のように、商品の代金を支払わないか一部のみまたは全部を支払って将来の商品の購入を約束する予約販売が多い業態のものがある。このような小売店舗では、設置されるパソコン化されたＰＯＳシステムを利用して予約販売の会計処理を効率的に処理することが考えられている。
【０００４】
従来、会計処理を効率的に処理することを指向したＰＯＳシステムとしては、例えば、以下に記載のものが知られている。
【特許文献１】特開平７−２９６０７５号公報  特許文献１には、予約された商品の情報が記憶されたカードを利用して売上げの入力を省略することで、会計処理を効率的に処理するＰＯＳシステムが記載されている。
【発明の開示】
【発明が解決しようとする課題】
【０００５】
特許文献１に係るＰＯＳシステムでは、予約販売された商品の現実の購入時点での会計処理の効率化を図るにすぎないもので、予約販売時点では全く会計処理が実行されないという問題点がある。
【０００６】
本発明は、このような問題点を考慮してなされたもので、予約販売時点で会計処理を実行することのできるＰＯＳシステムを提供することを課題とする。
【課題を解決するための手段】
【０００７】
前述の課題を解決するため、本発明に係るＰＯＳシステムは、特許請求の範囲の各請求項に記載の手段を採用する。
【０００８】
即ち、請求項１では、商品の売上げを入力するタッチパネル式の端末器を備えたＰＯＳシステムにおいて、端末器は商品の売上げを入力する際の基本画面に将来の商品の購入を約束する予約を指示する予約ボタンが表示され、基本画面の一部は商品の売上げの入力の後の予約ボタンの指示により商品の受渡日時を特定するとともに商品の本来の会計処理の予備的な会計処理である内金処理を指示する内金処理ボタンが表示された予約画面に切替えられることを特徴とする。
【０００９】
この手段では、商品の売上げを通常のように入力した後、基本画面の一部を予約画面として商品の本来の会計処理の予備的な会計処理である内金処理を実行させる。
【００１０】
また、請求項２では、請求項１のＰＯＳシステムにおいて、内金処理の情報を予約番号を付して呼出し可能に記憶するサーバを備えていることを特徴とする。
【００１１】
この手段では、内金処理の情報が予約番号を付されてサーバに保存される。
【００１２】
また、請求項３では、請求項１または２のＰＯＳシステムにおいて、内金処理の情報を予約番号を付した伝票として発行するプリンタを備えたことを特徴とする。
【００１３】
この手段では、予約番号が付された内金処理の情報がプリンタから伝票として出力される。
【００１４】
また、請求項４では、請求項２または３のＰＯＳシステムにおいて、端末器は予約番号の入力によって内金処理の情報が表示されることを特徴とする。
【００１５】
この手段では、予約番号に基づいて端末器に内金処理の情報が表示される。
【００１６】
また、請求項５では、請求項４のＰＯＳシステムにおいて、端末器は予約番号の入力によって表示された予約内容画面で商品の本来の会計処理を指示することができることを特徴とする。
【００１７】
この手段では、端末器の予約内容画面で内金処理を商品の本来の会計処理に移行させることができる。
【発明の効果】
【００１８】
本発明に係るＰＯＳシステムは、商品の売上げを通常のように入力した後、基本画面の一部を予約画面として商品の本来の会計処理の予備的な会計処理である内金処理を実行させるため、予約販売時点で会計処理を実行することができる効果がある。
【００１９】
さらに、請求項２として、内金処理の情報が予約番号を付されてサーバに保存されるため、必要に応じて内金処理の情報を呼出して利用することができる効果がある。
【００２０】
さらに、請求項３として、予約番号が付された内金処理の情報がプリンタから伝票として出力されるため、内金処理の情報を伝票からなる媒体を通じて視認，伝達させることができる効果がある。
【００２１】
さらに、請求項４として、予約番号に基づいて端末器に内金処理の情報が表示されるため、端末器で簡単に内金処理の情報を確認することができる効果がある。
【００２２】
さらに、請求項５として、端末器の予約内容画面で内金処理を商品の本来の会計処理に移行させることができるため、確認した内金処理の情報から最終的な会計処理を実行することができる効果がある。
【発明を実施するための最良の形態】
【００２３】
以下、本発明に係るＰＯＳシステムを実施するための最良の形態を図面に基づいて説明する。
【００２４】
この形態では、図５に示すような、ハード機器を備えたものを示してある。
【００２５】
即ち、ハード機器は、端末器Ａ，サーバＢ，管理用コンピュータＣを主要機器としている。端末器Ａは、商品の売上げ等を入力するもので、情報の入力，表示を兼用する液晶等によるタッチパネル式に構成されている。１つの端末器Ａは、キャッシュドロアＤ，バーコードリーダＥ，プリンタＦ，その他（カードリーダ等）が接続されて、会計処理の可能な親機とされている。他の端末器Ａは、バーコードリーダＥ，プリンタＦ，その他（カードリーダ等）が接続されるがキャッシュドロアＤが省略されて、会計処理が不可能な子機とされている。サーバＢは、各種の情報を記憶するもので、店舗が複数の場合に１店舗（例えば、本店）にのみ設置される。管理用コンピュータＣは、各種の制御を行うパーソナルコンピュータからなるもので、店舗が複数の場合に１店舗（例えば、本店）にのみ設置される。各店舗におけるハード機器は、ルータＧを介してインターネット等のコンピュータネットワークＨを介して接続される。
【００２６】
端末器Ａの商品の売上げを入力する基本画面１には、図１に示すように、商品の品名，価格等を入力する商品入力欄２と、入力された商品の品名，価格等を表示する商品明細欄３と、入力された商品の価格等を計算表示する会計表示欄４とが表示される。商品明細欄３，会計表示欄４には、商品入力欄２からの入力によって所定の文字，数字等が表示される。この商品入力欄２からの入力では、予約である場合とそうでない場合とで異なる点はない。
【００２７】
さらに、基本画面１には、図１に示すように、予約ボタン５が表示されている。予約ボタン５は、購入される商品の本来の会計処理の予備的な内金処理を指示するものである。即ち、商品の代金を支払わないか一部のみまたは全部を支払って将来の商品の購入を約束する予約販売を行う場合、商品の売上げの入力の後、予約ボタン５をタッチすることになる。
【００２８】
予約ボタン５がタッチされると、図２に示すように、基本画面１のうちの商品入力欄２が予約画面６に切替え表示される。
【００２９】
予約画面６には、商品の受渡日時を入力する受渡日時欄７と、予約に係る付随事項を入力する付随事項欄８と、内金処理を指示する内金処理ボタン９とが表示される。受渡日時欄７は、受渡日の基本設定が当日になるように設定され、受渡時間については必ずしも入力する必要がないように設定されている。付随事項欄８は、ケーキ（洋菓子）の販売店向けとして、ケーキに記載するメッセージの内容，記載位置や添付するローソクの大きさ，本数等である。
【００３０】
予約画面６では、商品の受渡日時を特定し付随事項を指定した後、内金処理ボタン９をタッチする。
【００３１】
内金処理ボタン９がタッチされると、図３に示すように、予約画面６が内金処理画面１０に切替え表示される。
【００３２】
内金処理画面１０には、内金の金額等を入力するテンキー等が表示されている。
【００３３】
内金処理画面１０では、内金処理のための必要な数字等が入力される。
【００３４】
内金処理が実行されると、商品の売上げの本来の会計処理の予備的な会計処理とされて、予約番号が付された予約情報としてサーバＢに記憶される。従って、予約販売時点で会計処理が実行されることになる。
【００３５】
予約情報は、必要に応じて、予約番号がバーコード等で記された伝票としてプリンタＦから発行される。伝票については、必要な枚数が、顧客用，店舗用等それぞれに多少の体裁を異ならせて発行される。
【００３６】
サーバＢに記憶された予約情報は、予約番号数字の入力やバーコードリーダＥの読取りによる予約番号に基づいて、端末器Ａの基本画面１から呼出すことができる。端末器Ａに呼出された予約情報は、基本画面１から切替え表示された予約内容画面に表示される。
【００３７】
予約内容画面では、商品の売上げの本来の会計処理を実行することができる。
【００３８】
この形態によると、例えば、電話で予約注文を受けた場合に、電話で会話しながら端末器Ａを操作して必要な入力を行い、予約情報を作成して保存しておくことができる。この電話での予約注文では、内金の金額を無（０円）として入力すればよい。
【００３９】
また、例えば、混雑した店舗での商品の対面販売の場合に、子機からなる端末器Ａで注文を受けて予約販売と同様に処理して顧客に対して伝票を発行し、顧客が伝票により親機からなる端末器Ａで会計処理している間に、ケーキからなる商品のデコレーションや包装を行うことができる。なお、子機からなる端末器Ａで会計処理が中断しているわけではないため、予約販売と同様の処理を連続して行うことができる。この対面販売では、商品の受渡日時を特定する入力は必要なく、内金の金額も無（０円）として入力する。
【００４０】
以上、図示した形態の外に、混雑した店舗での商品の対面販売の場合に向けて、専用の予約ボタンや予約画面を設定することも可能である。
【産業上の利用可能性】
【００４１】
本発明に係るＰＯＳシステムは、比較的小規模の小売店舗での設置に好適であるが、他の事業所，店舗等にも設置が可能である。
【図面の簡単な説明】
【００４２】
【図１】本発明に係るＰＯＳシステムを実施するための最良の形態の端末器における基本画面図である。
【図２】図１の一部の表示が切替わった図である。
【図３】図２の一部の表示が切替わった図である。
【図４】本発明に係るＰＯＳシステムを実施するための最良の形態の端末器の操作のフローチャートである。
【図５】本発明に係るＰＯＳシステムを実施するための最良の形態のハード構成図である。
【符号の説明】
【００４３】
１            基本画面
２            予約画面
５            予約ボタン
９            内金処理ボタン
Ａ            端末器
Ｅ            バーコードリーダ
Ｆ            プリンタ
【図１】
2007025842.tif 000003
【図２】
2007025842.tif 000004
【図３】
2007025842.tif 000005
【図４】
2007025842.tif 000006
【図５】
2007025842.tif 000007